(57)【要約】      （修正有）【課題】動物捕獲時に苦痛を与えず、動物の捕獲確率の向上を実現させる安全性の高い動物捕獲器を提供する。【解決手段】動物捕獲器１は、野生動物を捕獲するためのものであり、動物の足７を捉える弁状部材２と、弁状部材の上方に連続して設けられる筒状部材３と、筒状部材の内面に形成される平滑面部４とを備える。弁状部材２は、動物の足が挿通される挿通部２１が、複数の係止片２２に取り囲まれ、複数の係止片の先端側が基端側よりも狭窄させて形成される。筒状部材３は、下端側に形成される下端側開口部３１と、上端側に形成される上端側開口部３２とを有し、下端側開口部が挿通部２１に連続して設けられるとともに、上端側開口部が下端側開口部よりも拡径させて形成される。【選択図】図４
0003199491.tif 000002
【実用新案登録請求の範囲】
【請求項１】
野生動物を捕獲するための動物捕獲器であって、
動物の足を捉える弁状部材と、前記弁状部材の上方に連続して設けられる筒状部材と、前記筒状部材の内面に形成される平滑面部とを備え、
前記弁状部材は、動物の足が挿通される挿通部が、複数の係止片に取り囲まれることで形成されて、複数の前記係止片の先端側が基端側よりも狭窄させて形成されるとともに、
前記筒状部材は、下端側に形成される下端側開口部と、上端側に形成される上端側開口部とを有して、前記下端側開口部が前記挿通部に連続して設けられるとともに、前記上端側開口部が前記下端側開口部よりも拡径させて形成されること
を特徴とする動物捕獲器。
【請求項２】
前記弁状部材は、複数の前記係止片の基端側を拡開させるための仮止部が設けられるとともに、前記挿通部の下方に所定の空間を確保するための箱部材が設けられて、
前記平滑面部は、前記筒状部材の前記上端側開口部から前記下端側開口部に向けて縮径するように傾斜して、略平滑状に形成されること
を特徴とする請求項１記載の動物捕獲器。
【考案の詳細な説明】
【技術分野】
【０００１】
本考案は、野生動物を捕獲するための動物捕獲器に関する。
【背景技術】
【０００２】
従来から、一対の挟圧部材の開口状態に置いて、動物が踏板部材上に乗り上がると、係止部材の先端部はラッチ部から離脱し、この離脱により一対の挟圧部材は板バネ部材のバネ圧力により瞬時に閉口動作し、一対の挟圧部材の対向面間の挟圧部で動物の足が挟圧され、これにより野生動物を捕獲するための動物捕獲具を提供することを目的として、例えば、特許文献１の開示技術が提案されている。
【０００３】
特許文献１に開示された動物捕獲具は、立木、切株等に連結される基板部材に対向面間を挟圧部とする一対の半円弧状の挟圧部材を開閉自在に設け、一対の挟圧部材を閉口挟圧動作させる略Ｕ状の板バネ部材を設け、基板部材に踏板部材を設け、踏板部材にラッチ部を設け、基板部材にラッチ部に係脱可能な係止部材を設けてなり、挟圧部となる一対の挟圧部材の対向面間に間隙部を形成可能な間隙形成部を設けてなるものである。
【先行技術文献】
【特許文献】
【０００４】
【特許文献１】実用新案登録第３１１４１６０号公報
【考案の概要】
【考案が解決しようとする課題】
【０００５】
しかし、特許文献１に開示された動物捕獲具は、踏板部材上に乗り上がると、一対の挟圧部材の対向面間の挟圧部で動物の足が挟圧されるものである。このため、特許文献１に開示された動物捕獲具は、踏板部材上に乗り上げたとしても、動物の足が踏板上の所定の場所に置かれない場合には、動物の足が挟圧されず、動物を逃すという問題点があった。
【０００６】
また、特許文献１に開示された動物捕獲具は、踏板部材上に乗り上がることで、はじめて動物を捕獲するための挟圧部材の閉口動作が開始するものである。このため、特許文献１に開示された動物捕獲具は、限られた大きさである踏板部材上に動物が乗り上がらなければ効果を発揮しないという問題点があった。
【０００７】
また、特許文献１に開示された動物捕獲具は、一対の挟圧部材が板バネ部材のバネ圧力により瞬時に閉口動作し、一対の挟圧部材の対向面間の挟圧部で動物の足が挟圧されるものである。このため、特許文献１に開示された動物捕獲具は、動物が罠に掛かった場合に長時間にわたる苦痛を与える他、人間が誤って罠に掛かった場合に重傷を負うという問題点があった。
【０００８】
そこで、本考案は、上述した問題点に鑑みて案出されたものであり、その目的とするところは、動物捕獲時に苦痛を与えず、動物の捕獲確率の向上を実現させる安全性の高い動物捕獲器を提供することにある。
【課題を解決するための手段】
【０００９】
第１考案に係る動物捕獲器は、野生動物を捕獲するための動物捕獲器であって、動物の足を捉える弁状部材と、前記弁状部材の上方に連続して設けられる筒状部材と、前記筒状部材の内面に形成される平滑面部とを備え、前記弁状部材は、動物の足が挿通される挿通部が、複数の係止片に取り囲まれることで形成されて、複数の前記係止片の先端側が基端側よりも狭窄させて形成されるとともに、前記筒状部材は、下端側に形成される下端側開口部と、上端側に形成される上端側開口部とを有して、前記下端側開口部が前記挿通部に連続して設けられるとともに、前記上端側開口部が前記下端側開口部よりも拡径させて形成されることを特徴とする。
【００１０】
第２考案に係る動物捕獲器は、第１考案において、前記弁状部材は、複数の前記係止片の基端側を拡開させるための仮止部が設けられるとともに、前記挿通部の下方に所定の空間を確保するための箱部材が設けられて、前記平滑面部は、前記筒状部材の前記上端側開口部から前記下端側開口部に向けて縮径するように傾斜して、略平滑状に形成されることを特徴とする。
【考案の効果】
【００１１】
第１考案によれば、弁状部材の係止片の先端側が、挿通部の平面方向の略中心軸に向けて延びて形成されるとともに、周縁部の高さ方向の下方の下端側に連結された固定部を支点として、係止片の先端側が挿通部の平面方向の略中心軸から外側方向へ湾曲できるように形成されることによって、動物の足を挿通部の高さ方向の下方に向けて挿通させたときに、動物の足に係止片の先端側が湾曲するように接触し、元の形状に戻ろうとする力が掛かるものである。これにより、本考案を適用した動物捕獲器は、動物の足を挿通部の高さ方向の上方に向けて引き抜こうとしたときに、係止片が動物の足を係止することができるため、動物捕獲時に苦痛を与えずに捕獲することが可能となる。
【００１２】
第１考案、第２考案によれば、筒状部材の下端側開口部が挿通部に連続して設けられるとともに、上端側開口部が下端側開口部よりも拡径させて形成されることによって、動物の足が筒状部材に踏み入れられたときに、動物の足を挿通部へと誘導しやすくするものである。これにより、本考案を適用した動物捕獲器は、動物の足を弁状部材に挿通させやすくでき、捕獲確率の向上を実現することが可能となる。
【００１３】
第２考案によれば、平滑面部が筒状部材の内面に形成され、上端側開口部から下端側開口部へ向けて径が小さくなるように傾斜し、略平滑状に形成されることによって、動物の足が平滑面部に踏み入れられたときに、筒状部材の下端側開口部に連続して設けられる挿通部へ向けて動物の足を滑らせることができるものである。これにより、本考案を適用した動物捕獲器は、動物の足を弁状部材に挿通させやすくでき、捕獲確率の向上を実現することが可能となる。
【００１４】
第２考案によれば、調整用ボルトを緩めることで、周方向に拡開することができる周縁部が設けられた弁状部材を備えるものである。これにより、本考案を適用した動物捕獲器は、動物が捕獲されたときや人間の足等が誤って罠に掛かったとき、動物や人間の足等を傷つけることなく取り外すことができるため、安全性を高くすることが可能となる。
【図面の簡単な説明】
【００１５】
【図１】本考案を適用した動物捕獲器の第１実施形態を示す斜視図である。
【図２】（ａ）は、本考案を適用した動物捕獲器の第１実施形態の弁状部材を示す平面図であり、（ｂ）は、その正面図である。
【図３】（ａ）は、本考案を適用した動物捕獲器の第１実施形態の筒状部材を示す平面図であり、（ｂ）は、その正面図である。
【図４】本考案を適用した動物捕獲器の第１実施形態において、動物の足が捕捉される状態を示す正面図である。
【図５】（ａ）は、本考案を適用した動物捕獲器の第１実施形態において、弁状部材に動物の足が捕捉される状態を示す正面図であり、（ｂ）は、その弁状部材の仮止部が外され開かれた状態を示す平面図である。
【図６】本考案を適用した動物捕獲器の第２実施形態を示す斜視図である。
【図７】（ａ）は、本考案を適用した動物捕獲機の第２実施形態において、動物の足が捕捉される状態を示す正面図であり、（ｂ）は、その筒状部材の仮止部が外され開かれた状態を示す平面図である。
【考案を実施するための形態】
【００１６】
以下、本考案を適用した動物捕獲器１を実施するための形態について、図面を参照しながら詳細に説明する。
【００１７】
本考案を適用した動物捕獲器１は、図１に示すように、主として、イノシシ、イタチ及びシカ等の中小型の野生動物を、罠を仕掛けることにより捕獲するために用いられる。本考案を適用した動物捕獲器１は、例えば、山中、森等の地中に埋め込まれて用いられる。
【００１８】
野生動物とは、これに限らず、クマ等の大型の野生動物や鳥類も含む。
【００１９】
本考案を適用した動物捕獲器１は、動物の足を捉える弁状部材２と、弁状部材２の上方Ａに連続して設けられる筒状部材３と、筒状部材３の内面に形成される平滑面部４とを備える。
【００２０】
本考案を適用した動物捕獲器１は、第１実施形態において、特に、動物の足を捕捉する複数の係止片２２の先端側が平面方向Ｘから下方Ｂに向けて傾斜させて形成されるとともに、複数の係止片２２の基端側を拡開させるための仮止部２６が設けられる弁状部材２を備える。
【００２１】
弁状部材２は、動物の足を捕捉する複数の係止片２２と、複数の係止片２２が連続して設けられる周縁部２３とを備える。弁状部材２は、係止片２２の基端側を拡開させるための仮止部２６と、挿通部２１の下方Ｂに所定の空間２４を確保するための箱部材２５とを備える。
【００２２】
弁状部材２は、図２（ａ）に示すように、動物の足が挿通される挿通部２１が、複数の係止片２２に取り囲まれることで形成される。
【００２３】
周縁部２３は、帯状の鋼材等の金属が用いられる。周縁部２３は、直径約５ｃｍ〜２０ｃｍの略円環状となるように形成される。周縁部２３は、周方向Ｗに延びて形成される。周縁部２３は、複数の係止片２２の基端側が連結される固定部２９を有する。周縁部２３は、周方向Ｗに沿って広げて拡開することができるものである。周縁部２３は、拡開した周縁部２３を閉じた状態で固定するための仮止部２６が１箇所に設けられる。
【００２４】
周縁部２３は、図２（ｂ）に示すように、周縁部２３の高さ方向Ｙの下方Ｂの下端側に複数の係止片２２が傾斜して設けられる。
【００２５】
挿通部２１は、図２（ａ）に示すように、複数の係止片２２に取り囲まれて形成される。
【００２６】
複数の係止片２２は、６個〜１８個の係止片２２で形成される。複数の係止片２２は、先端側が基端側よりも細くなるように狭窄させて形成される。複数の係止片２２は、周縁部２３の周方向Ｗに連続して形成される。複数の係止片２２は、これに限らず、如何なる数量で設けられてもよい。
【００２７】
各々の係止片２２は、先端側が先鋭化した略三角形状となるように形成される。各々の係止片２２は、鋼材等の金属を用いて形成される。各々の係止片２２は、略三角形状に限らず、略台形状等で形成されてもよい。
【００２８】
各々の係止片２２は、図２（ｂ）に示すように、係止片２２の先端側が挿通部２１の平面方向Ｘの略中心軸に向けて延びて形成される。各々の係止片２２は、先端側が平面方向Ｘより下方Ｂに向けて傾斜させて形成される。各々の係止片２２は、周縁部２３の高さ方向Ｙの下方Ｂの下端側に設けられる固定部２９で係止片２２の基端側が連結される。各々の係止片２２は、周縁部２３の高さ方向Ｙの下方Ｂの固定部２９を支点として、係止片２２の先端側が挿通部２１の平面方向Ｘの略中心軸から外側方向へ湾曲できるように形成される。
【００２９】
仮止部２６は、図２（ａ）に示すように、周縁部２３の外面から突出して板状に形成される。仮止部２６は、周縁部２３に１箇所に設けられる。仮止部２６は、帯状の鋼材等の金属を用いて形成された周縁部２３の周方向Ｗの両端に連続して設けられる。仮止部２６は、周方向Ｗに拡開させることができる周縁部２３と連続して設けられる。仮止部２６は、拡開した周縁部２３を閉じた状態で固定するための調整用ボルト２７を有する。
【００３０】
仮止部２６は、図１に示すように、動物捕獲器１を所定の位置に固定するための連結部材５を挿通することのできる挿通孔２８を有する。
【００３１】
調整用ボルト２７は、図２（ａ）に示すように、仮止部２６に１箇所に設けられる。調整用ボルト２７は、締緩作業を行うことができる。調整用ボルト２７は、一対のボルトナットからなる。調整用ボルト２７は、ナットを緩めることにより、周縁部２３を周方向Ｗに拡開させることができる。
【００３２】
箱部材２５は、図１に示すように、深さ約１０ｃｍ〜３０ｃｍで形成される。箱部材２５は、複数の係止片２２を取り囲むように、周縁部２３の高さ方向Ｙの下方Ｂの下端側に連続して設けられる。箱部材２５は、複数の係止片２２の先端側より下方に離間させることで、内側に空間２４が形成される。
【００３３】
筒状部材３は、高さ方向Ｙの下方Ｂの下端側に形成される下端側開口部３１と、高さ方向Ｙの上方Ａの上端側に形成される上端側開口部３２とを有する。
【００３４】
筒状部材３は、下端側開口部３１が挿通部２１に連続して設けられるとともに、上端側開口部３２が下端側開口部３１よりも拡径させて形成される。筒状部材３は、円錐台形状となる。筒状部材３は、円錐台形状に限らず、半球台形状となってもよい。
【００３５】
下端側開口部３１は、図３（ａ）に示すように、直径約５ｃｍ〜２０ｃｍの略円形状となる。上端側開口部３２は、直径約１０ｃｍ〜３０ｃｍの略円形状となる。
【００３６】
平滑面部４は、図３（ｂ）に示すように、筒状部材３の内面に形成され、上端側開口部３２から下端側開口部３１へ向けて径が小さくなるように傾斜する。平滑面部４は、凹凸のない略平滑状に形成される。
【００３７】
連結部材５は、図１に示すように、一方の端部が挿通孔２８に挿通させることができ、他方の端部が、地面や切り株等に打ち込むことにより動物捕獲器１を所定の位置に固定できるような構造からなる。
【００３８】
本考案を適用した動物捕獲器１は、図４に示すように、動物の足７が筒状部材３の上端側開口部３２から平滑面部４に踏み入れられ、弁状部材２の挿通部２１を挿通し、係止片２２で捉えられ、箱部材２５の内側の空間２４に収められることにより、動物を捕獲することができるものである。
【００３９】
本考案を適用した動物捕獲器１は、弁状部材２の係止片２２の先端側が、挿通部２１の平面方向Ｘの略中心軸に向けて延びて形成されるとともに、周縁部２３の高さ方向Ｙの下方Ｂの下端側に設けられた固定部２９を支点として、係止片２２の先端側が挿通部２１の平面方向Ｘの略中心軸から外側方向へ湾曲できるように形成されることによって、動物の足７を挿通部２１の高さ方向Ｙの下方Ｂに向けて挿通させたときに、動物の足７に係止片２２の先端側が湾曲するように接触し、元の形状に戻ろうとする力が掛かるものである。これにより、本考案を適用した動物捕獲器１は、動物の足７を挿通部２１の高さ方向Ｙの上方Ａに向けて引き抜こうとしたときに、係止片２２が動物の足７を係止することができるため、動物捕獲時に苦痛を与えずに捕獲することが可能となる。
【００４０】
本考案を適用した動物捕獲器１は、筒状部材３の下端側開口部３１が挿通部２１に連続して設けられるとともに、上端側開口部３２が下端側開口部３１よりも拡径させて形成されることによって、動物の足７が筒状部材３に踏み入れられたときに、動物の足７を挿通部２１へと誘導しやすくするものである。これにより、本考案を適用した動物捕獲器１は、動物の足７を弁状部材２に挿通させやすくでき、捕獲確率の向上を実現することが可能となる。
【００４１】
本考案を適用した動物捕獲器１は、平滑面部４が筒状部材３の内面に形成され、上端側開口部３２から下端側開口部３１へ向けて径が小さくなるように傾斜し、略平滑状に形成されることによって、動物の足７が平滑面部４に踏み入れられたときに、筒状部材３の下端側開口部３１に連続して設けられる挿通部２１へ向けて動物の足７を滑らせることができるものである。これにより、本考案を適用した動物捕獲器１は、動物の足７を弁状部材２に挿通させやすくでき、捕獲確率の向上を実現することが可能となる。
【００４２】
本考案を適用した動物捕獲器１は、図５（ａ）に示すように、動物の足７が捉えられた状態から、図５（ｂ）に示すように、調整用ボルト２７を緩めることで、周方向Ｗに拡開させることができる周縁部２３が設けられた弁状部材２を備えるものである。これにより、本考案を適用した動物捕獲器１は、動物が捕獲されたときや人間の足が誤って罠に掛かったとき、動物や人間の足等を傷つけることなく取り外すことができるため、安全性の高くすることが可能となる。
【００４３】
次に、本考案を適用した動物捕獲器１の第２実施形態について説明する。なお、上述した構成要素と同一の構成要素については、同一の符号を付すことにより以下での説明を省略する。
【００４４】
本考案を適用した動物捕獲器１は、図６に示すように、第２実施形態において、特に、動物の足を捕捉する複数の係止片２２が平面方向Ｘに傾斜することなく形成される弁状部材２と、筒状部材３の上端側開口部３２に、開閉可能な構造となる筒状部材３を開閉するためのヒンジ部３３と、開いた筒状部材３を閉じた状態で固定するための仮止部２６とが設けられる。
【００４５】
各々の係止片２２は、先端側と基端側が平面方向Ｘに傾斜することなく形成される。各々の係止片２２は、筒状部材３の下端側開口部３１に連結された固定部２９を支点として、係止片２２の先端側が平面方向Ｘより下方Ｂに向けて湾曲できるように形成される。
【００４６】
筒状部材３は、下端側に形成される下端側開口部３１と、上端側に形成される上端側開口部３２とを有する。
【００４７】
下端側開口部３１は、係止片２２の基端側と固定部２９で連結される。上端側開口部３２は、上端側開口部３２の外面に突出して板状に形成される仮止部２６と、仮止部２６の設置された箇所から上端側開口部３２の略中心に対して反対側にヒンジ部３３を有する。
【００４８】
仮止部２６は、上端側開口部３２の外面から突出して板状に形成される。仮止部２６は、上端側開口部３２に１箇所に設けられる。仮止部２６は、開閉動作が可能な筒状部材３を閉じた状態で固定するための調整用ボルト２７を有している。
【００４９】
ヒンジ部３３は、ヒンジ構造の中心軸で回転できるものとする。ヒンジ部３３は、上端側開口部３２の外面から突出し、１箇所に設けられる。
【００５０】
本考案を適用した動物捕獲器１は、図７（ａ）に示すように、弁状部材２の係止片２２の先端側が、挿通部２１の平面方向Ｘの略中心軸に向けて延びて形成されるとともに、筒状部材３の下端側開口部３１に連結された固定部２９を支点として、平面方向Ｘより下方Ｂに向けて湾曲できるように形成されることによって、動物の足７を挿通部２１の高さ方向Ｙの下方Ｂに挿通させたときに、動物の足７に係止片２２の先端側が湾曲するように接触するため、元の形状に戻ろうとする力が働くものである。これにより、本考案を適用した動物捕獲器１は、動物の足７を挿通部２１の高さ方向Ｙの上方Ａに引き抜こうとしたときに、係止片２２が動物の足７を係止することができるため、動物捕獲時の苦痛を軽減することが可能となる。
【００５１】
本考案を適用した動物捕獲器１は、図７（ｂ）に示すように、上端側開口部３２の外面に突出し、１箇所に設けられるヒンジ部３３がヒンジ構造の中心軸で回転できることによって、筒状部材３が周方向Ｗに開閉可能となるものである。これにより、本考案を適用した動物捕獲器１は、動物が捕獲されたときや人間の足等が誤って罠に掛かってしまったとき、動物や人間の足等を傷つけることなく取り外すことが可能となり、安全性を高くすること可能となる。
【００５２】
なお、本考案を適用した動物捕獲器１は、第１実施形態及び第２実施形態の何れにおいても、箱部材２５が設けられなくてもよい。このとき、本考案を適用した動物捕獲器１は、土を掘ることにより、挿通部２１の下方に、複数の係止片２２の先端側と離間させた空間２４が形成される弁状部材２を備えるものとなる。したがって、本考案を適用した動物捕獲器１は、動物の足７が筒状部材３の上端側開口部３２から平滑面部４に踏み入れられ、弁状部材２の挿通部２１を挿通し、係止片２２で捉えられたときに、挿通部２１の下方に形成された空間２４に収められることが可能なため、動物を捕獲することができるものである。
【００５３】
以上、本考案の実施形態の例について詳細に説明したが、上述した実施形態は、何れも本考案を実施するにあたっての具体化の例を示したものに過ぎず、これらによって本考案の技術的範囲が限定的に解釈されてはならないものである。
【符号の説明】
【００５４】
１    ：動物捕獲器
２    ：弁状部材
２１  ：挿通部
２２  ：係止片
２３  ：周縁部
２４  ：空間
２５  ：箱部材
２６  ：仮止部
２７  ：調整用ボルト
２８  ：挿通孔
２９  ：固定部
３    ：筒状部材
３１  ：下端側開口部
３２  ：上端側開口部
３３  ：ヒンジ部
４    ：平滑面部
５    ：連結部材
７    ：足
Ｗ    ：周方向
Ｘ    ：平面方向
Ｙ    ：高さ方向
【図１】
0003199491.tif 000003
【図２】
0003199491.tif 000004
【図３】
0003199491.tif 000005
【図４】
0003199491.tif 000006
【図５】
0003199491.tif 000007
【図６】
0003199491.tif 000008
【図７】
0003199491.tif 000009